(57)【要約】  救命安全服が開示される。本発明の救命安全服は、お互いに結合される内皮と外被とを有する織物構造体；及び内皮と外被との間に形成される複数の分割空間に収容されて、内部に気体が密封される複数の気体内蔵カプセルを含むことを特徴とする。本発明によれば、救命安全服の安全性及び活動性を向上させることができる。【選択図】図６
2011529008.tif 000002
【特許請求の範囲】
【請求項１】
お互いに結合される内皮と外被を有する織物構造体；及び
前記内皮と前記外被との間に形成される複数の分割空間に収容されて、内部に気体が密封される複数の気体内蔵カプセルを含むことを特徴とする救命安全服。
【請求項２】
前記気体内蔵カプセルは、
密閉された内部空間が形成されるように合成樹脂素材に製作されて、前記内部空間に気体が密封されることを特徴とする請求項１に記載の救命安全服。
【請求項３】
前記気体内蔵カプセルは、
前記合成樹脂素材をブロー成形（Ｂｌｏｗ  Ｍｏｌｄｉｎｇ）または射出成形（Ｉｎｊｅｃｔｉｏｎ  Ｍｏｌｄｉｎｇ）を通じて前記内部空間を有する形状で設けた後、前記内部空間に気体を入れ込んで密封して製作されることを特徴とする請求項２に記載の救命安全服。
【請求項４】
前記合成樹脂素材は、
ＥＶＡ（Ｅｔｈｙｅｎｅ  Ｖｉｎｙｌ  Ａｃｅｔａｔｅ）を含むことを特徴とする請求項２に記載の救命安全服。
【請求項５】
前記複数の分割空間を形成するための前記内皮と前記外被の結合は、前記気体内蔵カプセルに隣接した支点で横及び縦方向に断続的になされることを特徴とする請求項１に記載の救命安全服。
【請求項６】
前記複数の分割空間は、
お互いに隣り合う４個の前記気体内蔵カプセルによって形成される中央領域で前記内皮と前記外被がお互いに結合されて、前記内皮と前記外被との間に形成されることを特徴とする請求項１または５に記載の救命安全服。
【請求項７】
前記気体内蔵カプセルは、
八角形の断面形状を有することを特徴とする請求項１または５に記載の救命安全服。
【請求項８】
前記気体内蔵カプセルで、
８個の側壁のうちで４個の側壁は、短い横方向の長さを有して、他の４個の側壁は長い横方向の長さを有して、前記短い横方向の長さを有する４個の側壁は、前記気体内蔵カプセルのコーナーらをなすことを特徴とする請求項７に記載の救命安全服。
【請求項９】
お互いに隣り合う４個の前記気体内蔵カプセルによって形成される中央領域で前記内皮と前記外被を貫通する複数の通孔をさらに含むことを特徴とする請求項１または５に記載の救命安全服。
【請求項１０】
前記救命安全服は、
前記気体内蔵カプセルが浮力材として作用する救命胴衣を含むことを特徴とする請求項１に記載の救命安全服。
【発明の詳細な説明】
【技術分野】
【０００１】
本発明は、救命安全服に関するものであり、より詳細には、救命安全服の安全性及び活動性を向上させるための構造に関するものである。
【背景技術】
【０００２】
一般に、救命安全服は内皮と外被との間に浮力材を入れて水上で着した人が水に浮かぶようにする浮力装備で使用されるか、または内皮と外被との間に衝撃吸収材を入れて地上で運動や歩行中に外部の衝撃から着用者の身体を保護する衝撃吸収装備などで使用される。特に、浮力装備で使用される救命安全服（例えば、救命胴衣）は水遊び、釣り、海の旅行時に安全のために必須に着するようにしている。
【０００３】
図１は、従来の救命胴衣の一例を示す斜視図である。
【０００４】
図１を参照すれば、従来の救命胴衣１０は、人が着用可能な胴衣形態に設けられて、内皮２０と外被３０との間に水に浮かぶ浮力材４０を挿入して設けられる。ここで、浮力材４０は通常所定厚さを有するポリエチレンフォームなどの発泡性樹脂に設けられる。このような浮力材４０は、救命胴衣１０の製作の容易性のために所定の板形状に設けられて救命安全服１０の内皮２０と外被３０の縫合によって救命胴衣１０の内部に収容される。
【０００５】
ところが、従来の救命胴衣１０は、浮力材４０でポリエチレンフォームのような発泡性樹脂が使用されるので、内皮２０と外被３０を防水素材で製作しても使用者が長期間水中に滞留すれば水が発泡性樹脂に吸収されて浮力機能が低下されて使用者の安全に危険をもたらす問題点があった。
【０００６】
また、従来の救命胴衣１０は、浮力材４０がポリエチレンフォームのような発泡性樹脂で板形状に設けられるので、使用者の身に密着されにくいし、柔軟性が落ちて着心地が悪くて使用者の活動に不便さをもたらす問題点があった。
【発明の概要】
【課題を解決するための手段】
【０００７】
本発明の目的は、要求される安全性及び活動性を向上させることができる救命安全服を提供することにある。
【発明の効果】
【０００８】
本発明は、内部に気体が密封される気体内蔵カプセルを浮力材として使用することで、着用者が長期間水中に滞留しても浮力材に水が全然浸透しないので、救命安全服の安全性を向上させることができる。
【０００９】
また、本発明は、内部に気体が密封される気体内蔵カプセルを衝撃吸収材で使用することで、気体が内蔵されない通常の衝撃吸収材より外部の衝撃に対する吸収性能が卓越で、着用者の身体をさらに安全に保護することができる。
【００１０】
また、本発明は、複数の気体内蔵カプセルが収容される複数の分割空間を形成するための内皮と外被との結合を点（ｐｏｉｎｔ）形態の結合構造で適用することで、分割空間に収容された気体内蔵カプセルが所定の範囲内で流動が可能であるので、救命安全服の柔軟性が増加して着心地が良くなって使用者の活動性を増加させることができる。
【図面の簡単な説明】
【００１１】
【図１】従来の救命胴衣の一例を示す斜視図である。
【図２】本発明の一実施例による救命胴衣の概略図である。
【図３】図２で気体内蔵カプセルの斜視図である。
【図４】図３の気体内蔵カプセルの横断面図である。
【図５】本発明の気体内蔵カプセルの他の例らを示す斜視図である。
【図６】図２の救命胴衣の一部分を拡大した概略的な平面図である。
【図７】図６のＶＩＩ−ＶＩＩ線による救命胴衣の概略的な断面図である。
【図８】図６のＶＩＩＩ−ＶＩＩＩ線による救命胴衣の概略的な断面図である。
【図９】本発明の他の実施例による救命胴衣の一部分の概略的な平面図である。
【図１０】図９のＸ−Ｘ線による救命胴衣の概略的な断面図である。
【発明を実施するための形態】
【００１２】
前記目的は、本発明によって、お互いに結合される内皮と外被を有する織物構造体；及び前記内皮と前記外被との間に形成される複数の分割空間に収容されて、内部に気体が密封される複数の気体内蔵カプセル、を含むことを特徴とする救命安全服によって達成される。
【００１３】
ここで、前記気体内蔵カプセルは、密閉された内部空間が形成されるように合成樹脂素材に製作されて、前記内部空間に気体が密封されることができる。
【００１４】
前記気体内蔵カプセルは、前記合成樹脂素材をブロー成形（Ｂｌｏｗ  Ｍｏｌｄｉｎｇ）または射出成形（Ｉｎｊｅｃｔｉｏｎ  Ｍｏｌｄｉｎｇ）を通じて前記内部空間を有する形状で設けた後、前記内部空間に気体を入れ込んで密封して製作されることができる。
【００１５】
前記合成樹脂素材は、ＥＶＡ（Ｅｔｈｙｅｎｅ  Ｖｉｎｙｌ  Ａｃｅｔａｔｅ）を含むことができる。
【００１６】
前記複数の分割空間を形成するための前記内皮と前記外被の結合は、前記気体内蔵カプセルに隣接した支点で横及び縦方向に断続的になされることができる。
【００１７】
前記複数の分割空間は、お互いに隣り合う４個の前記気体内蔵カプセルによって形成される中央領域で前記内皮と前記外被がお互いに結合されて、前記内皮と前記外被との間に形成されることができる。
【００１８】
前記気体内蔵カプセルは、八角形の断面形状を有することができる。前記気体内蔵カプセルで、８個の側壁のうちで４個の側壁は短い横方向の長さを有して、他の４個の側壁は長い横方向の長さを有して、前記短い横方向の長さを有する４個の側壁は、前記気体内蔵カプセルのコーナーらをなすことができる。
【００１９】
前記救命安全服は、お互いに隣り合う４個の前記気体内蔵カプセルによって形成される中央領域で前記内皮と前記外被を貫通する複数の通孔をさらに含むことができる。
【００２０】
前記救命安全服は、前記気体内蔵カプセルが浮力材で作用する救命胴衣を含むことができる。
【００２１】
本発明と本発明の動作上の利点及び本発明の実施によって達成される目的を充分に理解するためには本発明の望ましい実施例を例示する添付図面及び添付図面に記載された内容を参照しなければならない。
【００２２】
以下、添付された図面を参照して本発明の望ましい実施例を説明することで、本発明を詳しく説明する。但し、本発明を説明するにおいて、既に公知された機能、あるいは構成に対する説明は、本発明の要旨を明瞭にさせるために省略する。
【００２３】
本発明の救命安全服は、その形態においてチョッキ、ジャンパー、ズボン、保護台などの形態に適用されることができるし、その用途において水上で着した人が水に浮かぶようにする浮力装備、地上で運動や歩行中に外部の衝撃から着用者の身体を保護する衝撃吸収装備などの用途に適用されることができる。すなわち、本明細書で‘救命安全服’は人の安全を保障するために人の身体に着用可能な衣類などの形態を有する多様な種類の保護装備を含む意味で使用される。但し、以下では、水上で安全事故の発生をあらかじめ防止するために使用される浮力装備として着した人が水に浮かぶようにする救命胴衣に限定して本発明の救命安全服を説明することにする。
【００２４】
図２は、本発明の一実施例による救命胴衣の概略図であり、図３は、図２で気体内蔵カプセルの斜視図であり、図４は、図３の気体内蔵カプセルの横断面図であり、図５は本発明の気体内蔵カプセルの他の例らを示す斜視図である。
【００２５】
また、図６は、図２の救命胴衣の一部分を拡大した概略的な平面図であり、図７は、図６のＶＩＩ−ＶＩＩ線による救命胴衣の概略的な断面図であり、図８は、図６のＶＩＩＩ−ＶＩＩＩ線による救命胴衣の概略的な断面図である。
【００２６】
図２乃至図８を参照すれば、本実施例による救命胴衣１００は、内部に気体が密封される複数の気体内蔵カプセル１３０と、複数気体内蔵カプセル１３０が収容される複数の分割空間Ｓが形成されるようにお互いに結合される内皮１１１と外被１１２とを有する織物構造体１１０を含む。
【００２７】
図３及び図４を参照すれば、気体内蔵カプセル１３０は密閉された内部空間が形成されるように設けられて、所定の浮力を発生させることができるようにその内部空間に気体が密封される。気体内蔵カプセル１３０に密封される気体としては、一般な空気（ａｉｒ）、窒素（Ｎ２）などが使用されることができる。
【００２８】
気体内蔵カプセル１３０は、図３及び図４に示されているように、全体的に平らな八角柱の外形で八角形の断面形状を有する。このように八角形構造を有する気体内蔵カプセル１３０で８個の側壁１３１、１３３のうち４個の側壁１３１は短い横方向の長さＬ１を有して、他の４個の側壁１３３は長い横方向の長さＬ２を有する。短い横方向の長さＬ２を有する４個の側壁１３１は、気体内蔵カプセル１３０の４個のコーナーら（Ｃｏｒｎｅｒｓ）をなすようになる。これによって、図５に示されているように、複数気体内蔵カプセル１３０のお互いに離隔距離を小さく持って行きながらも、お互いに隣り合う４個の気体内蔵カプセル１３０によって形成される中央領域Ｃが十分な余裕を有するように設定されることができるので、後述する内皮１１１と外被１１２とを、点形態で結合させるのに容易な結合領域を提供することができる。但し、気体内蔵カプセル１３０の形状は本実施例に限定されなくて、図６に示されているように、平らな卵円形、四角形、六角形などの形状に設けられることができる。また、気体内蔵カプセル１３０の大きさは、使用される救命胴衣１００のデザインによって多様な大きさに設けられることができる。但し、気体内蔵カプセル１３０の大きさが小さいほど救命胴衣１００の着心地の良くなる利点がある。一方、図面には表現されなかったが、気体内蔵カプセル１３０の角らはラウンド処理されることが望ましい。
【００２９】
気体内蔵カプセル１３０は、ＥＶＡ（Ｅｔｈｙｅｎｅ  Ｖｉｎｙｌ  Ａｃｅｔａｔｅ）、ＰＥ（Ｐｏｌｙ  Ｅｔｈｙｌｅｎｅ）、ＰＥＴ（Ｐｏｌｙ  Ｅｔｈｙｌｅｎｅ  Ｔｅｒｅｐｈｔｈａｌａｔｅ）、ＰＶＣ（Ｐｏｌｙ  Ｖｉｎｙｌ  Ｃｈｌｏｒｉｄｅ）などの熱可塑性合成樹脂素材のうちで少なくとも一つの素材でなされることができる。特に、救命胴衣１００は人が着する衣類という側面で、気体内蔵カプセル１３０は柔軟性（柔らかさ）、衝撃吸水性、保温性がすぐれながらも値がチープな素材であるＥＶＡ（Ｅｔｈｙｅｎｅ  Ｖｉｎｙｌ  Ａｃｅｔａｔｅ）でなされるのが望ましい。気体内蔵カプセル１３０は熱可塑性合成樹脂素材をブロー成形（ＢｌｏｗＭｏｌｄｉｎｇ）、射出成形（ＩｎｊｅｃｔｉｏｎＭｏｌｄｉｎｇ）などを通じて密閉された内部空間を有する形状で設けた後その内部空間に気体を入れ込んで密封して製作されることができる。この時、気体内蔵カプセル１３０は密閉された内部空間を有する形状に設けられるという側面で射出成形よりは空気を吹入して成形するブロー成形を使用して製作することがさらに望ましい。
【００３０】
このように、気体内蔵カプセル１３０は、合成樹脂素材でなされて内部に気体が密封されるために、救命胴衣１００で優秀な浮力材として作用することができることは勿論、従来の救命胴衣で浮力材として作用するポリエチレンフォームのような発泡性樹脂と違い、水が全然浸透することができないので長期間水中にいても浮力機能が落ちなくて救命胴衣１００の安全性を向上させることができる。また、気体内蔵カプセル１３０は、同一な嵩に対して従来の発泡性樹脂より大きい浮力を発生させることができる利点がある。
【００３１】
図２及び図６乃至図８を参照すれば、織物構造体１１０は内皮１１１と外被１１２を含んで全体的に人が着用可能なチョッキ形態に設けられる。内皮１１１と外被１１２は、天然纎維または合成纎維でなされることができるが、水上で使用される救命胴衣１００である点を勘案して防水機能を有する纎維でなされることが望ましい。内皮１１１と外被１１２との間には複数の気体内蔵カプセル１３０がお互いに離隔されて配置される。内皮１１１と外被１１２とは、複数の気体内蔵カプセル１３０が収容される複数の分割空間Ｓが形成されるようにお互いに結合される。すなわち、複数気体内蔵カプセル１３０は、内皮１１１と外被１１２との間に形成された複数の分割空間Ｓにそれぞれ収容される。これは内皮１１１と外被１１２との間に配置される複数の気体内蔵カプセル１３０が指定された席で離脱しないようにして救命胴衣１００全体に複数の気体内蔵カプセル１３０が均一に分布するようにするためのものである。
【００３２】
ここで、複数気体内蔵カプセル１３０が収容される複数の分割空間Ｓは、お互いに隣り合う４個の気体内蔵カプセル１３０によって形成される中央領域Ｃから内皮１１１と外被１１２がお互いに結合されて、内皮１１１と外被１１２との間に形成される。すなわち、内皮１１１と外被１１２は、それらの間に複数の分割空間Ｓが形成されるように気体内蔵カプセル１３０ごとにその４個のコーナーに隣接した４個の支点でお互いに結合される。この時、内皮１１１と外被１１２は、お針方式によってお互いに結合されるが、具体的にお互いに隣り合う４個の気体内蔵カプセル１３０によって形成される中央領域Ｃの一支点を結合糸１１５で何回縫って内皮１１１と外被１１２とを堅たく結合させる。
【００３３】
このように、本実施例による救命胴衣１００は、内皮１１１と外被１１２をお互いに結合して複数の気体内蔵カプセル１３０が収容される複数の分割空間Ｓを形成するが、複数分割空間Ｓを形成するための内皮１１１と外被１１２との結合は、気体内蔵カプセル１３０に隣接した支点で横及び縦方向に断続的になされている。すなわち、複数の分割空間Ｓを形成するための内皮１１１と外被１１２の結合において、点（ｐｏｉｎｔ）形態の結合構造を適用している。これによって、本実施例による救命胴衣１００は、分割空間Ｓに収容された気体内蔵カプセル１３０が所定の範囲内で流動が可能であるので、柔軟性が増加して着心地が良くなって使用者の活動性を増加させることができる。この時、前述したところのように、気体内蔵カプセル１３０は、八角形の断面形状を有するので、複数気体内蔵カプセル１３０のお互いに離隔距離を小さく持って行きながらもお互いに隣り合う４個の気体内蔵カプセル１３０によって形成される中央領域Ｃが十分な余裕を有するように設定されることができるし、これによって内皮１１１と外被１１２とを、点形態で結合させるのに容易な結合領域を提供することができる。但し、本実施例と異なるように、複数の分割空間Ｓを形成するための内皮１１１と外被１１２との結合は、線（ｌｉｎｅ）形態の結合構造、例えば、気体内蔵カプセル１３０の周りを囲む横結合線と縦結合線によって連続的になされることもできる。
【００３４】
一方、本実施例では複数の分割空間Ｓを形成するための内皮１１１と外被１１２との結合がお針方式によってなされるが、これと異なるように融着、接着、アイレットなどの別途の結合口（図示せず）を利用した方式などによってもなされることができる。また、本実施例では一つの分割空間Ｓに一つの気体内蔵カプセル１３０が収容されるが、これと異なるように一つの分割空間Ｓに二つ以上の気体内蔵カプセル１３０が収容されることができる。
【００３５】
以上、説明したところのように、本実施例による救命胴衣１００は、内部に気体が密封される気体内蔵カプセル１３０を浮力材として使用することで、浮力性能がすぐれることはもちろん、着用者が長期間水中に滞留しても、気体内蔵カプセル１３０に水が全然浸透しないので、救命胴衣１００の安全性を向上させることができる。
【００３６】
また、本実施例による救命胴衣１００は、複数の気体内蔵カプセル１３０が収容される複数の分割空間Ｓを形成するための内皮１１１と外被１１２との結合において、点（ｐｏｉｎｔ）形態の結合構造を適用することで、分割空間Ｓに収容された気体内蔵カプセル１３０が所定の範囲内で流動が可能であるので、柔軟性が増加して着心地が良くなって使用者の活動性を増加させることができる。
【００３７】
図９は、本発明の他の実施例による救命胴衣の一部分の概略的な平面図であり、図１０は、図９のＸ−Ｘ線による救命胴衣の概略的な断面図である。以下、本発明の他の実施例による救命胴衣を前述した実施例と相異な点を中心に説明する。
【００３８】
図９及び図１０を参照すれば、本実施例による救命胴衣２００は、内部に気体が密封される複数の気体内蔵カプセル１３０と、複数の気体内蔵カプセル１３０が収容される複数の分割空間Ｓが形成されるようにお互いに結合される内皮１１１と外被１１２とを有する織物構造体１１０と、お互いに隣り合う４個の気体内蔵カプセル１３０によって形成される中央領域Ｃで内皮１１１と外被１１２とを貫通する複数の通孔２１７を含む。
【００３９】
言い替えれば、本実施例による救命胴衣２００は、お互いに隣り合う４個の気体内蔵カプセル１３０によって形成される中央領域Ｃで内皮１１１と外被１１２とを貫通する通孔２１７が織物構造体１１０に多数個が設けられるという点を除いて、前述した実施例による救命胴衣１００の構成と実質的に同一である。よって、前述した実施例と実質的に同一な構成に対しては同一な図面符号を付与したし、それに対する詳細な説明は略することにする。
【００４０】
このように、本実施例による救命胴衣２００は、前述した実施例の構成に加えてお互いに隣り合う４個の気体内蔵カプセル１３０によって形成される中央領域Ｃで内皮１１１と外被１１２とを貫通する複数の通孔２１７をさらに含むことで、前述した実施例の利点をすべて有しながらも、水中から出た時に救命胴衣２００に吸収された水が複数の通孔２１７を通じて迅速に排出されて、通気性が優秀で濡れた状態の救命胴衣２００が風によって迅速に乾燥するので、救命胴衣２００の着心地をさらに向上させて着用者の不快感を減らすことができる。
【００４１】
一方、前述した実施例と同じく、本実施例でも複数の気体内蔵カプセル１３０が収容される複数の分割空間Ｓを形成するための内皮１１１と外被１１２との結合は、お互いに隣り合う４個の気体内蔵カプセル１３０によって形成される中央領域Ｃで内皮１１１と外被１１２とがお針方式によってお互いに結合される方式が適用されているが、但し、お互いに隣り合う４個の気体内蔵カプセル１３０によって形成される中央領域Ｃに通孔２１７が設けられる点を勘案して結合糸２１５で通孔２１７の周りを囲むように裁縫して内皮１１１と外被１１２とを堅たく結合させることが望ましい。
【００４２】
以上、本発明の救命安全服を水上で使用される救命胴衣をその実施例にして説明した。しかし、前で前提したところのように、本発明の救命安全服はジャンパー、ズボン、保護台などの多様な形態に適用されることができることはもちろん、水上で着した人が水に浮かぶようにする浮力装備にその用途が限定されるものではなく、地上で運動や歩行中に外部の衝撃から着用者の身体を保護する衝撃吸収装備などの用途としても適用されることができる。
【００４３】
本発明の救命安全服が衝撃吸収装備の用途に適用される場合、気体内蔵カプセルは、浮力材ではなく衝撃吸収材として作用するようになるが、気体内蔵カプセルは内部に気体が密封される構造で気体が内蔵されない通常の衝撃吸収材より外部の衝撃に対する吸収性能が卓越で着用者の身体をさらに安全に保護することができるであろう。
【００４４】
本発明は、前述した実施例らに限定されるものではなくて、本発明の思想及び範囲を脱しないで多様に修正及び変形することができることはこの技術の分野で通常の知識を有した者に自明である。したがって、そのような修正例または変形例らは、本発明の特許請求範囲に属すると言わなければならないであろう。
【産業上の利用可能性】
【００４５】
本発明は、救命胴衣を含んだ救命安全服の技術分野に適用可能である。
【００４６】
【図１】
2011529008.tif 000003
【図２】
2011529008.tif 000004
【図３】
2011529008.tif 000005
【図４】
2011529008.tif 000006
【図５（ａ）】
2011529008.tif 000007
【図５（ｂ）】
2011529008.tif 000008
【図５（ｃ）】
2011529008.tif 000009
【図６】
2011529008.tif 000010
【図７】
2011529008.tif 000011
【図８】
2011529008.tif 000012
【図９】
2011529008.tif 000013
【図１０】
2011529008.tif 000014
【国際調査報告】
2011529008.tif 000015
2011529008.tif 000016
2011529008.tif 000017
2011529008.tif 000018
2011529008.tif 000019